(57)【特許請求の範囲】
【請求項１】
製品生地の長さ調節すべき領域を絞るための絞り機構を備えてなる衣類またはバッグの製品であって、
前記製品生地には、ポケットが形成されてなり、
前記絞り機構は、
前記長さ調節すべき領域の内側に形成された収納部内に、一部が収納されると共に、当該長さ調節すべき領域が絞られていない状態で、当該収納部から延出した端部が、前記ポケット内に至る長尺体と、
前記収納部内に固定されると共に、前記長尺体の任意の箇所で当該長尺体を解放及び係止可能である係止具と、
を備え、
前記製品生地に、前記収納部の長尺体出口及び前記ポケットの長尺体入口に連通し、且つ当該収納部から延出した長尺体を収納すると共に、該長尺体を前記ポケットに案内する案内路を形成してなり、
前記ポケットには、前記長尺体入口の他に手を入れることが可能な入口を有している絞り機構付き製品。
【請求項２】
前記係止具は、前記収納部の前記長尺体が延出する位置近傍に固定されている請求項１記載の絞り機構付き製品。
【請求項３】
前記長尺体は、その端部が前記収納部内に固定されている請求項１又は請求項２に記載の絞り機構付き製品。
【請求項４】
前記長尺体は、その両端部が、前記収納部から延出されている請求項１又は請求項２に記載の絞り機構付き製品。
【請求項５】
前記収納部は、袋構造を有する請求項１ないし請求項４のいずれか一項に記載の絞り機構付き製品。
【請求項６】
前記長尺体がゴム紐からなる請求項１ないし請求項５のいずれか一項に記載の絞り機構付き製品。
【発明の詳細な説明】
【技術分野】
【０００１】
本発明は、絞り機構付き製品にかかり、具体的には、長さ調節をするための絞り機構を備えてなる衣類やバッグに関する。
【背景技術】
【０００２】
従来から、例えば、フード付きジャケットやレインコート等の製品には、使用者がフードを着用した際に、フードが使用者の顔の周囲に適切にフィットするように、フードの端部に紐やゴム紐等を通し、これを適切な長さに絞って維持する絞り機構が取り付けられているものがある。また、パンツやスカート等の製品では、ウエストの長さ（大きさ）を調節するために、これらのウエスト付近に紐やゴム紐等を通し、これを適切な長さに絞って維持する絞り機構が取り付けられているものがある。
【０００３】
この絞り機構としては、例えば、衣類に取付けられた紐と、この紐の任意の箇所で当該紐を解放及び係止可能な紐締め具と、を備えたものが一般的であり、紐を引っ張って衣類の必要箇所を絞り、この絞った状態で、前記紐締め具により紐を係止して維持することで、長さを調節している。
【０００４】
このような絞り機構としては、例えば、布等の膜状体を、当該膜状体に設定された所定の絞り線に沿って絞るための絞り機構が紹介されている。この絞り機構は、前記膜状体が絞られていない状態で前記絞り線の全長より、その長手方向の長さが長い紐手段と、前記紐手段の任意の箇所で当該紐手段を解放係止自在に係止する係止手段と、を備え、前記膜状体には、前記紐手段の一方の端部を前記絞り線の端部で固定する固定手段と、前記紐手段を前記膜状体の前記絞り線に沿って摺動自在に係止するガイド手段と、前記絞り線の他方の端部で、少なくとも前記絞り線の長手方向への前記係止手段の移動を阻止する歯止め手段と、を備えて構成されており、片手で紐を簡単に絞ることができる。（例えば、特許文献１参照）。
【特許文献１】特開平１１−２０６９１７号公報
【発明の開示】
【発明が解決しようとする課題】
【０００５】
しかしながら、前記従来の絞り機構が取付けられた衣類等の製品は、紐締め具が衣類の外部に取り付けられていると共に、紐の自由端が衣類の外部に出ているため、使用者の邪魔になることがある。
【０００６】
また、特許文献１に記載された絞り機構は、紐を引っ張ることで、紐締め具が衣類の内側に入り込むことができるが、紐の自由端は衣類の外部に出ているため、未だ使用者の邪魔になることがある。
【０００７】
本発明は、このような従来の絞り機構付き製品を改良することを課題とするものであり、紐を解放及び係止可能な係止具や、紐等を備えた絞り機構を製品の内部に収納しておくことが可能な絞り機構付き製品を提供することを目的とする。
【課題を解決するための手段】
【０００８】
この目的を達成するため、本発明は、製品生地の長さ調節すべき領域を絞るための絞り機構を備えてなる衣類またはバッグの製品であって、前記製品生地には、ポケットが形成されてなり、前記絞り機構は、前記長さ調節すべき領域の内側に形成された収納部内に、一部が収納されると共に、当該長さ調節すべき領域が絞られていない状態で、当該収納部から延出した端部が、前記ポケット内に至る長尺体と、前記収納部内に固定されると共に、前記長尺体の任意の箇所で当該長尺体を解放及び係止可能である係止具と、を備え、前記製品生地に、前記収納部の長尺体出口及び前記ポケットの長尺体入口に連通し、且つ当該収納部から延出した長尺体を収納すると共に、該長尺体を前記ポケットに案内する案内路を形成してなり、前記ポケットには、前記長尺体入口の他に手を入れることが可能な入口を有している絞り機構付き製品を提供するものである。
【０００９】
この構成を備えた絞り機構付き製品は、長さ調節すべき領域を絞るための絞り機構が、当該長さ調節すべき領域内、及びポケット内に収納されているため、製品の外部に露出されていない状態で着用、あるいは持ち運ぶことができる。したがって、使用者の邪魔になることがなく、安全に着用、あるいは持ち運ぶことができる。また、案内路を形成することにより、長尺体は、製品の表面に露出することなく、また、所望の位置から大幅に動くことなくポケットに至ることができる。
【００１０】
前記係止具は、長さ調節すべき領域の内側に形成された収納部の、前記長尺体が延出する位置近傍に固定しておくことができる。このようにすることで、前記長尺体により長さ調節すべき領域をより効率よく絞ることができる。
【００１１】
また、前記長尺体は、その端部が前記収納部内に固定されていてもよく、その両端部が、前記収納部から各々延出されていてもよい。
【００１４】
前記収納部は、袋構造を有することができる。また、前記案内路も袋構造を有することができる。
【００１５】
また、長尺体は、ゴム紐から構成することができる。そしてまた、紐から構成してもよい。
【００１６】
前記製品生地は、衣類を形成してもよく、物品を収納する収納具を形成してもよい。すなわち、本発明にかかる製品は、衣類であってもよく、収納具であってもよい。
【００１７】
なお、本発明でいう製品生地とは、例えば、布、紙、皮革、ニット、フィルム等、柔軟性があって絞ることが可能な素材のことをいう。また、長尺体とは、一定の張力を加えられるものであれば、紐、ゴム紐、糸、テープ、ベルト等、いかなるものでもよい。その素材としては、天然繊維、合成繊維、金属、ゴム、皮革等を適宜適用できる。そしてまた、係止具としては、長尺体を一定の場所で係止したり解放したりできる機構を備えるものであれば、その機構、名称を問わず種々に適用できる。
【発明の効果】
【００１８】
本発明にかかる絞り機構付き製品は、絞り機構を製品の内部に収納しておくことが可能であるため、当該絞り機構が製品の外部に露出されていない状態で、当該製品を着用、あるいは持ち運ぶことができる。したがって、絞り機構が使用者の邪魔になることがなく、安全に着用、あるいは持ち運ぶことができる。
【発明を実施するための最良の形態】
【００１９】
次に、本発明の好適な実施形態にかかる絞り機構付き製品について図面を参照して説明する。
【００２０】
なお、以下に記載される実施の形態は、本発明を説明するための例示であり、本発明をこの実施の形態にのみ限定するものではない。したがって、本発明は、その要旨を逸脱しない限り、様々な形態で実施することができる。
【００２１】
図１は、本実施の形態にかかる絞り機構付き製品の正面から見た状態を示す模式図、図２は、図１の絞り機構付近を側面側から見た状態を示す模式図、図３は、本実施の形態にかかる絞り機構の係止具の側面図、図４は、図３に示す係止具にゴム紐を通した状態を示す側面図、図５は、本実施の形態にかかる絞り機構付き製品の長さ調節領域内の平面図である。
【００２２】
図１〜図５に示すように、本実施の形態１にかかる絞り機構付き製品は、フード付きジャケット１であって、フード２の顔の周囲を包囲する左右の端部２Ｌ及び２Ｒ（長さ調節領域）を絞るための絞り機構２０と、裾３（長さ調節領域）を絞るための絞り機構４０と、を備えている。さらに、左右前身頃４Ｌ及び４Ｒには、ポケット５Ｌ及び５Ｒが各々形成されている。
【００２３】
フード２の端部２Ｌ及び２Ｒには、袋縫いによってフード２の表地１１（図２参照）と、フード２の見返し部分１２（図２参照）の内側との間に、後に詳述するゴム紐２１と、ゴム紐２１の任意の箇所で、このゴム紐２１を解放及び係止可能である係止具２２と、が収納される収納部１３Ｌ及び１３Ｒが、各々形成されている。この収納部１３Ｌ及び１３Ｒは、下方側（首に近い側）が、ゴム紐２１の出口１４Ｌ及び１４Ｒとなっている。
【００２４】
また、フード付きジャケット１の収納部１３Ｌ及び１３Ｒと、ポケット５Ｌ及び５Ｒとの間には、収納部１３Ｌ及び１３Ｒの出口１４Ｌ及び１４Ｒに各々連通すると共に、ポケット５Ｌ及び５Ｒのゴム紐２１の入口１６Ｌ及び１６Ｒに各々連通し、収納部１３Ｌ及び１３Ｒから延出したゴム紐２１を収納すると共に、ゴム紐２１をポケットに案内する案内路１５Ｌ及び１５Ｒが形成されている。
【００２５】
この案内路１５Ｌ及び１５Ｒは、図２に示すように、前身頃４Ｌ及び４Ｒの表地１７と裏地１８とを、ゴム紐２１を収納可能な空間が形成されるような袋状になるように縫い合わせることで形成されている。
【００２６】
また、ポケット５Ｌ及び５Ｒに形成されたゴム紐２１の入口１６Ｌ及び１６Ｒは、図２に示すように、ポケット５Ｌ及び５Ｒのポケット向こう当布１９に形成されたネムリ穴から形成されている。なお、図２に記載された符号２３は、ポケット袋布である。
【００２７】
そしてまた、フード付きジャケット１の裾３には、折り返して形成され、後に詳述するゴム紐５１と、係止具２２を収納可能な袋状の収納部４２が形成されている。フード付きジャケット１の収納部４２の左右端と、ポケット５Ｌ及び５Ｒとの間には、収納部４２のゴム紐５１の出口４２Ｌ及び４２Ｒに各々連通すると共に、ポケット５Ｌ及び５Ｒのゴム紐５１の入口４３Ｌ及び４３Ｒに各々連通し、収納部４２の出口４２Ｌ及び４２Ｒから延出したゴム紐５１を収納すると共に、ゴム紐５１をポケット５Ｌ及び５Ｒに案内する案内路４５Ｌ及び４５Ｒが形成されている。
【００２８】
絞り機構２０は、フード２に形成された収納部１３Ｌ（１３Ｒ）内に、その一部が収納されるゴム紐２１と、収納部１３Ｌ（１３Ｒ）内に固定されると共に、ゴム紐２１任意の箇所で、このゴム紐２１を解放及び係止可能である係止具２２と、を備えて構成されている。
【００２９】
また、絞り機構４０は、裾３に形成された収納部４２に、その一部が収納されるゴム紐５１と、係止具２２と、を備えて構成されている。
【００３０】
ゴム紐２１は、一方の端部が、収納部１３Ｌ（１３Ｒ）内の頭頂近傍に固定されており、他方の端部は、フード２の端部２Ｌ及び２Ｒ（長さ調節領域）が絞られていない状態で、収納部１３Ｌ（１３Ｒ）の出口１４Ｌ（１４Ｒ）から延出して、案内路１５Ｌ（１５Ｒ）を経て、ポケット５Ｌ（５Ｒ）の中に至っている。このゴム紐２１のポケット５Ｌ（５Ｒ）に至る先端には、抜止部材２４が取り付けられている。
【００３１】
また、ゴム紐５１は、裾３に形成された収納部４２に収納され、収納部４２の端部に形成された出口４２Ｌ（４２Ｒ）から各々延出した各端部は、案内路４５Ｌ（４５Ｒ）を経て、ポケット５Ｌ（５Ｒ）の中に至っている。このゴム紐５１のポケット５Ｌ（５Ｒ）に至る先端には、抜止部材２４が取り付けられている。
【００３２】
係止具２２は、特に図３〜図５に示すように、角部にアールがついた板状のベース３１上に、互いに間隔をおいて立設されたテーパ状のリブ３２Ａ及び３２Ｂと、リブ３２Ａ及び３２Ｂとの間に配設された弾性アーム部３３と、を備えている。
【００３３】
リブ３２Ａ及び３２Ｂには、ゴム紐２１や、ゴム紐５１が貫通可能な貫通穴３４Ａ及び３４Ｂが各々形成されている。
【００３４】
弾性アーム部３３は、その一縁部がベース３１と一体に形成されており、これと反対側が自由端となっている。弾性アーム部３３の自由端側には、ゴム紐２１及び５１を支持するため、ベース３１側に凸状に湾曲した湾曲部３５が形成されている。この弾性アーム部３３は、自由端側をベース３１に向けて押圧することで、その弾性によって、図４に示すように、ベース３１に向けて近づき、湾曲部３５が貫通穴３４Ａ及び３４Ｂと共に、ゴム紐２１及び５１が貫通可能な穴３６を画定する。また、弾性アーム部３３は、前記押圧を停止すると、その弾性復元力によって、元の位置（図３に示す位置）に戻る。
【００３５】
この構成を備えた係止具２２は、弾性アーム部３３をベース３１に向けて近づけ、湾曲部３５と、貫通穴３４Ａ及び３４Ｂとで穴３６を画定し、この穴３６にゴム紐２１を貫通させた状態で、収納部１３Ｌ（１３Ｒ）内のフード２の見返し部分１２の内側であって、出口１４Ｌ（１４Ｒ）付近に、ベース３１が固定される。また、係止具２２は、同様に、穴３６にゴム紐５１を貫通させた状態で、裾３に形成された収納部４２内の左右端に、ベース３１が固定される。
【００３６】
このように係止具２２の貫通穴３４Ａ及び３４Ｂとで画定された穴３６を貫通したゴム紐２１（５１）は、通常では、弾性アーム部３３が元の位置に戻ろうとする力によって、係止具２２に係止されている。
【００３７】
次に、本実施の形態にかかるフード付きジャケット１の具体的動作について説明する。このフード付きジャケット１は、通常の状態では、フード２の端部２Ｌ及び２Ｒは、絞られておらず、裾３も絞られていない。そして、ゴム紐２１及び５１の端部は、ポケット５Ｌ及び５Ｒ内に収納されており、フード付きジャケット１の外部には出ていない。
【００３８】
この状態のフード付きジャケット１を使用者が着用し、フード２をかぶった際には、フード２の端部２Ｌ及び２Ｒが、使用者の顔の周囲に適切にフィットするように、端部２Ｌ及び２Ｒの長さを調節する。具体的には、例えば、使用者は、片手をポケット５Ｌに入れてゴム紐２１を掴んで引っ張り、端部２Ｌを絞って、この部分を使用者の顔の周囲に適切にフィットする長さにする。このように、端部２Ｌの長さの調節は、片手で行うことができる。
【００３９】
なお、この時、一方の手をポケット５Ｌに入れてゴム紐２１を掴むと共に、他方の手でフード付きジャケット１の上から係止具２２の弾性アーム部３３をベース３１に向けて押して弾性アーム部３３をベース３１に近づけ、ゴム紐２１をより引っ張りやすい状態にしてもよい。
【００４０】
次に、端部２Ｌの長さが適切な長さになるよう絞った後、ゴム紐２１を引っ張ることを止めると、ゴム紐２１は係止具２２によって、その位置で係止され、この状態が維持される。なお、端部２Ｒについても同様に、片手をポケット５Ｒに入れてゴム紐２１を掴んで引っ張ればよい。また、ポケット５Ｌ及び５Ｒに片手を同時に入れて、ゴム紐２１を引っ張ってもよい。このようにして、フード２の端部２Ｌ及び２Ｒを使用者の顔の周囲に適切にフィットさせることができる。この長さ調節が終了した際も、各々のゴム紐２１の端部は、ポケット５Ｌ及び５Ｒ内にそれぞれ収納されており、フード付きジャケット１の外部には出ていない。
【００４１】
また、裾３の長さ調節についても、前記と同様に、使用者は、片手をポケット５Ｌに入れてゴム紐５１を掴んで引っ張り、裾３を絞って、この部分を使用者の胴回りに適切にフィットする長さにした後、ゴム紐５１を引っ張ることを止めて、ゴム紐５１を係止具２２によって、その位置で係止すればよい。なお、ポケット５Ｒに収納されているゴム紐５１の端部についても同様である。この長さ調節が終了した際も、各々のゴム紐５１の両端部は、ポケット５Ｌ及び５Ｒ内にそれぞれ収納されており、フード付きジャケット１の外部には出ていない。
【００４２】
次に、フード２を脱ぐ際には、フード付きジャケット１の上から係止具２２の弾性アーム部３３をベース３１に向けて押して弾性アーム部３３をベース３１に近づけ、ゴム紐２１を係止具２２から解放すると共に、端部２Ｌ（２Ｒ）の絞りを伸ばせばよい。裾３の絞りを元に戻す場合も同様である。
【００４３】
このように、本実施の形態にかかるフード付きジャケット１は、絞り機構２０及び４０をフード付きジャケット１の外部に露出させることなく、必要部分の長さを調節することができ、長さ調節前後においても、絞り機構２０及び４０がフード付きジャケット１の外部に露出することがないため、絞り機構２０及び４０が使用者の邪魔になることがなく、フード付きジャケット１を、より安全に着用することができ、また安全に持ち運ぶこともできる。
【００４４】
なお、本実施の形態では、収納部１３Ｌ及び１３Ｒと、ポケット５Ｌ及び５Ｒとの間に案内路１５Ｌ及び１５Ｒを各々設けた場合について説明したが、これに限らず、収納部１３Ｌ及び１３Ｒのゴム紐２１の出口１４Ｌ及び１４Ｒに、ポケット５Ｌ及び５Ｒをそれぞれ直接連通させてもよい。
【００４５】
また、同様に、収納部４２とポケット５Ｌ及び５Ｒとの間に案内路４５Ｌ及び４５Ｒを設けずに、収納部４２のゴム紐５１の出口４２Ｌ及び４２Ｒに、ポケット５Ｌ及び５Ｒをそれぞれ直接連通させてもよい。
【００４６】
そしてまた、収納部１３Ｌ及び１３Ｒと、収納部４２の構造は、その内部に係止具２２と、ゴム紐２１あるいはゴム紐５１が収納可能であれば、特に限定されるものではなく、他の生地によって、袋状や筒状に形成される等してもよい。
【００４７】
また、本実施の形態では、フード２の端部２Ｌ（２Ｒ）の長さや、裾３の長さを調節するために、絞り機構２０及び４０を設けた場合について説明したが、これに限らず、本発明にかかる絞り機構は、例えば、バッグの口の長さ調節、パンツのウエスト部分の長さ調節等、あらゆる製品生地（ただし、靴下と手袋は除く）の長さ調節すべき領域を絞るために適用することができる。
【図面の簡単な説明】
【００４８】
【図１】本実施の形態にかかる絞り機構付き製品の正面から見た状態を示す模式図である。
【図２】図１の絞り機構付近を側面側から見た状態を示す模式図である。
【図３】本実施の形態にかかる絞り機構の係止具の側面図である。
【図４】図３に示す係止具にゴム紐を通した状態を示す側面図である。
【図５】本実施の形態にかかる絞り機構付き製品の長さ調節領域内の平面図である。
【符号の説明】
【００４９】
１    フード付きジャケット
２    フード
３    裾
５Ｌ、５Ｒ    ポケット
１３Ｌ、１３Ｒ、４２    収納部
１５Ｌ、１５Ｒ、４５Ｌ、４５Ｒ    案内路
２０、４０    絞り機構
２１、５１    ゴム紐
２２    係止具
３３    弾性アーム部
【図１】
0004768228.tif 000002
【図２】
0004768228.tif 000003
【図３】
0004768228.tif 000004
【図４】
0004768228.tif 000005
【図５】
0004768228.tif 000006